(57)【要約】【課題】既に設置された照明器具を用いて任意の場所に照明光を照射することができる照明装置を提供する。【解決手段】照明用電力供給部に取り付けられる受電部（口金１１）及び当該受電部で受電した電力を所定の電力に変換する電源回路１２を有する本体部１０と、本体部１０から任意の場所に引き出すことができる給電部（給電ワイヤ２０）と、給電部を介して供給される所定の電力によって発光し、かつ、給電部に設置される光源部３０とを備える。【選択図】図１
2016054114.tif 000002
【特許請求の範囲】
【請求項１】
照明用電力供給部に取り付けられる受電部及び当該受電部で受電した電力を所定の電力に変換する電源回路を有する本体部と、
前記本体部から任意の場所に引き出すことができる給電部と、
前記給電部を介して供給される前記所定の電力によって発光し、かつ、前記給電部に設置される光源部とを備える
照明装置。
【請求項２】
前記給電部は、一対の給電ワイヤである
請求項１に記載の照明装置。
【請求項３】
前記一対の給電ワイヤにおける前記本体部側とは反対側には、当該一対の給電ワイヤを所定の構造物に固定するための固定部材が設けられている
請求項２に記載の照明装置。
【請求項４】
前記本体部は、さらに、前記給電部の引き出し量を調整することができる引き出し量調整部を有する
請求項１〜３のいずれか１項に記載の照明装置。
【請求項５】
前記本体部は、さらに、前記電源回路を収納する回路ケースを有する
請求項１〜４のいずれか１項に記載の照明装置。
【請求項６】
前記本体部は、さらに、前記回路ケースから延設された支柱を有し、
前記給電部は、前記支柱から引き出されている
請求項５に記載の照明装置。
【請求項７】
前記給電部には、複数の前記光源部が設置される
請求項１〜６のいずれか１項に記載の照明装置。
【請求項８】
前記所定の電力は、直流電力であり、
前記光源部は、前記所定の電力によって発光するＬＥＤ素子を有する
請求項７に記載の照明装置。
【請求項９】
前記所定の電力は、交流電力であり、
前記光源部は、前記所定の電力によって発光するＬＥＤ素子を有し、
前記給電部と前記光源部との間には整流回路が接続されている
請求項７に記載の照明装置。
【請求項１０】
前記照明用電力供給部は、照明器具のソケットであり、
前記受電部は、前記ソケットに取り付けられる口金である
請求項１〜９のいずれか１項に記載の照明装置。
【請求項１１】
前記受電部は、天井に設けられた引掛シーリングボディが有する前記照明用電力供給部に取り付けられる
請求項１〜９のいずれか１項に記載の照明装置。
【発明の詳細な説明】
【技術分野】
【０００１】
本発明は、照明装置に関する。
【背景技術】
【０００２】
発光ダイオード（ＬＥＤ：Ｌｉｇｈｔ  Ｅｍｉｔｔｉｎｇ  Ｄｉｏｄｅ）等の半導体発光素子は、小型、高効率及び長寿命であることから、様々な製品の光源として期待されている。
【０００３】
例えば、ＬＥＤは、電球形ＬＥＤランプ（ＬＥＤ電球）や直管ＬＥＤランプ等の照明用光源、又は、シーリングライトやダウンライトのように天井に設置される照明器具等に用いられている。例えば特許文献１には、従来のＬＥＤ電球が開示されている。
【先行技術文献】
【特許文献】
【０００４】
【特許文献１】特開２００６−３１３７１７号公報
【発明の概要】
【発明が解決しようとする課題】
【０００５】
ＬＥＤ電球は、所定の場所に設置された照明器具に取り付けられる。このため、一旦照明器具を設置すると、照射エリアを変更することが難しい。
【０００６】
また、シーリングライトやダウンライト等の照明器具についても天井等の所定の場所に設置されているので、これらの照明器具を一旦設置すると、照射エリアを変更することが難しい。
【０００７】
本発明は、このような問題を解決するためになされたものであり、既に設置された照明器具を用いて任意の場所に照明光を照射することができる照明装置を提供することを目的とする。
【課題を解決するための手段】
【０００８】
上記目的を達成するために、本発明に係る照明装置の一態様は、照明用電力供給部に取り付けられる受電部及び当該受電部で受電した電力を所定の電力に変換する電源回路を有する本体部と、前記本体部から任意の場所に引き出すことができる給電部と、前記給電部を介して供給される前記所定の電力によって発光し、かつ、前記給電部に設置される光源部とを備えることを特徴とする。
【発明の効果】
【０００９】
本発明によれば、既に設置された照明器具を用いて任意の場所に照明光を照射することができる。
【図面の簡単な説明】
【００１０】
【図１】実施の形態に係る照明装置の構成を示す図
【図２】実施の形態に係る照明装置の設置例を示す断面図
【図３】実施の形態に係る照明装置の設置例を示す斜視図
【図４】実施の形態に係る照明装置における光源部及び給電ワイヤの断面図
【図５】実施の形態に係る照明装置における給電ワイヤと光源部との接続方法を説明するための断面図
【図６】実施の形態に係る照明装置の機能構成を説明するための図
【図７】実施の形態の変形例に係る照明装置の機能構成を説明するための図
【図８】実施の形態の変形例に係る照明装置における電源回路が出力する交流電力の周波数と発光素子に流れる電流比との関係を示す図
【図９】変形例１に係る照明装置の構成を示す図
【図１０】変形例２に係る照明装置の構成を示す図
【発明を実施するための形態】
【００１１】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、工程及び工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化する。
【００１３】
（実施の形態）
以下、実施の形態に係る照明装置１について、図１〜図３を用いて説明する。図１は、実施の形態に係る照明装置１の構成を示す図である。図２及び図３は、実施の形態に係る照明装置１の設置例を示す図であり、図２は断面図、図３は下方から見たときの斜視図である。
【００１４】
図１〜図３に示すように、照明装置１は、本体部１０と、本体部から任意の場所に引き出すことができる給電ワイヤ２０と、給電ワイヤ２０を介して供給される所定の電力によって発光し、かつ、給電ワイヤ２０に設置される光源部３０とを備える。
【００１５】
図１及び図２に示すように、本体部１０は、口金１１と電源回路１２とを有する。本実施の形態における本体部１０は、さらに、回路ケース１３と支柱１４とを有する。
【００１６】
口金１１は、照明用電力供給部に取り付けられる受電部である。図２に示すように、本実施の形態において、照明用電力供給部は、所定の場所に設置された照明器具１００のソケット１１０である。したがって、口金１１は、照明器具１００のソケット１１０に取り付けられる。口金１１は、光源部３０（ＬＥＤ）を発光させるための電力をソケット１１０（照明用電力供給部）から受電する。なお、図２及び図３に示される照明器具１００は、ダウンライトである。
【００１７】
口金１１は、例えば、ねじ込み式のエジソンタイプ（Ｅタイプ）の口金（Ｅ口金）である。具体的には、口金１１は、Ｅ２６形、Ｅ１７形又はＥ１６形等の口金である。なお、口金１１は、既に設置された所定の照明器具等に適合した構造を有していればよく、Ｅ口金に限るものではない。例えば、口金１１は、差し込み式の口金等であってもよい。
【００１８】
このように、口金１１として、Ｅタイプ等の既に設置された照明器具に適合する構造を有するものを用いることによって、本体部１０を既に設置された照明器具に容易に装着することができる。これにより、既に設置された照明器具を用いた照明装置を実現することができる。
【００１９】
口金１１には、例えば商用電源（交流電源）からソケット１１０（照明用電力供給部）を介して交流電力が供給される。本実施の形態における口金１１は二接点によって交流電力を受電する。口金１１で受電した電力は、リード線（不図示）等を介して電源回路１２に入力される。
【００２０】
電源回路１２は、口金１１で受電した電力を所定の電力に変換する。本実施の形態において、電源回路１２は、口金１１で受電した電力を、光源部３０を発光させるための電力に変換し、当該電力を光源部３０に供給する。例えば、電源回路１２は、口金１１から供給される交流電力を直流電力に変換し、給電ワイヤ２０を介して当該直流電力を光源部３０に供給する。
【００２１】
電源回路１２は、例えば、回路基板と当該回路基板に実装された回路部品とからなる回路ユニットである。なお、電源回路１２には、調光回路や昇圧回路等が組み合わされていてもよい。電源回路１２は、図１及び図２に示すように、回路ケース１３に収納されている。
【００２２】
回路ケース１３は、電源回路１２を収納するための絶縁ケースである。回路ケース１３は、例えばポリブチレンテレフタレート（ＰＢＴ）等の絶縁性樹脂材料等を用いて形成される。回路ケース１３の口金１１側の開口は、口金１１で塞がれている。一方、回路ケース１３の口金１１側とは反対側（床側）の開口は、開放されていてもよいし、図３に示すように、保護パネル等で塞がれていてもよい。なお、本実施の形態において、回路ケース１３は外郭筐体であり、回路ケース１３の外面は大気中に露出している。
【００２３】
支柱１４は、電源回路１２から出力される電力を給電ワイヤ２０に供給する際の中継給電部として機能する。つまり、電源回路１２から出力される電力は、支柱１４を経由して給電ワイヤ２０に供給される。例えば、支柱１４の内部にはリード線等の導電部材が配設されており、これによって電源回路１２と給電ワイヤ２０とが電気的に接続されている。
【００２４】
支柱１４は、回路ケース１３から延設されている。これにより、給電ワイヤ２０を回路ケース１３（本体部１０）から容易に引き出すことができる。本実施の形態において、支柱１４は、図１〜図３に示すように、回路ケース１３の内部から回路ケース１３の外部にまで延設されている。また、支柱１４は、図２及び図３に示すように、照明器具１００の器具本体１２０の開口から突出するように鉛直下方に延設されている。
【００２５】
また、支柱１４は、給電ワイヤ２０の引き出し量を調整することができる引き出し量調整部（不図示）を有していてもよい。例えば、引き出し量調整部として、例えば、給電ワイヤ２０を巻き取ったり延ばしたりできるコードリール（ケーブルリール）を用いることができる。これにより、給電ワイヤ２０を任意の長さに容易に調整することができる。
【００２６】
なお、引き出し量調整部は、支柱１４ではなく、回路ケース１３の内部等、支柱１４以外の本体部１０に設けてもよい。この場合、支柱１４を設けなくてもよく、引き出し調整部を介して電源回路１２と給電ワイヤ２０とが電気的に接続されていてもよい。
【００２７】
給電ワイヤ２０は、本体部１０から光源部３０に所定の電力を供給するための給電部である。図１〜図３に示すように、本実施の形態において、給電ワイヤ２０は、一対の給電線（電力供給線）であり、高圧側の第１給電ワイヤ２１（第１給電線）と低圧側の第２給電ワイヤ（第２給電線）２２とからなる。第１給電ワイヤ２１及び第２給電ワイヤ２２の各々は、例えば、金属線（芯線）と当該金属線を被覆する絶縁被膜（樹脂被膜）とからなる。
【００２８】
給電ワイヤ２０は、上述のとおり、本体部１０から任意の場所に引き出すことができるように構成されている。本実施の形態において、給電ワイヤ２０は、支柱１４から引き出されている。つまり、第１給電ワイヤ２１及び第２給電ワイヤ２２の各々の一方端は、支柱１４に接続されている。例えば、第１給電ワイヤ２１及び第２給電ワイヤ２２は、支柱１４の引き出し量調整部（コードリール）に巻き取られている。
【００２９】
一方、一対の給電ワイヤ２０の各々の他方端（本体部１０側とは反対側の端部）には、当該一対の給電ワイヤ２０を所定の構造物に固定するための固定部材４０が設けられている。つまり、第１給電ワイヤ２１及び第２給電ワイヤ２２の各々の他方端は、固定部材４０に接続されている。
【００３０】
図２及び図３に示すように、固定部材４０は、例えば壁（構造物）に固定される。固定部材４０は、例えば固定金具であり、ネジ等によって壁に固定される。固定部材４０を壁等の構造物に固定することによって、給電ワイヤ２０が壁等の構造物に固定されて給電ワイヤ２０の位置が決まる。なお、第１給電ワイヤ２１及び第２給電ワイヤ２２は、例えば所定の間隔をあけて平行に設置される。
【００３１】
また、給電ワイヤ２０には、１個又は複数の光源部３０が設置される。本実施の形態では、図２及び図３に示すように、２個の光源部３０が給電ワイヤ２０に設置されている。給電ワイヤ２０に光源部３０を設置することによって光源部３０には所定の電力が供給される。なお、設置する光源部３０の個数（設置数）は、２個に限らず、必要に応じて適宜増やしていってもよい。
【００３２】
このように、光源部３０は、給電ワイヤ２０に設置される。図２に示すように、光源部３０は、給電ワイヤ２０を介して供給される所定の電力によって発光する発光素子３１ａを有する。発光素子３１ａが発光することによって光源部３０から所定の光が放出される。例えば、光源部３０は下方側を照射するように配置されており、光源部３０の光は下方側に向かって放射される。
【００３３】
ここで、光源部３０の詳細な構成及び光源部３０と給電ワイヤ２０との接続関係について、図４を用いて説明する。図４は、実施の形態に係る照明装置１における光源部３０及び給電ワイヤ２０の断面図である。
【００３４】
図４に示すように、第１給電ワイヤ２１は、金属線２１ａと金属線２１ａを被覆する絶縁被膜２１ｂとからなる。同様に、第２給電ワイヤ２２は、金属線２２ａと金属線２２ａを被覆する絶縁被膜２２ｂとからなる。
【００３５】
また、光源部３０は、所定の色の光を放出する発光モジュール３１と、発光モジュール３１を収納するための筐体３２とを有する。
【００３６】
発光モジュール３１は、例えば、照明光として白色光を放出する。本実施の形態において、発光モジュール３１は、１個又は複数個の発光素子３１ａと、発光素子３１ａが実装された基板３１ｂとを有する。
【００３７】
発光素子３１ａは、例えば、個々にパッケージ化された表面実装（ＳＭＤ：Ｓｕｒｆａｃｅ  Ｍｏｕｎｔ  Ｄｅｖｉｃｅ）型のＬＥＤ素子であり、樹脂製等の容器（パッケージ）と、容器内に配置されたＬＥＤチップ（ベアチップ）と、ＬＥＤチップを封止する封止部材とを備える。この場合、基板３１ｂとして平板状の実装基板（ＰＣＢ等）を用いて１個又は複数個のＳＭＤ型のＬＥＤ素子を当該実装基板に実装することによって、発光モジュール３１としてＳＭＤ構造のＬＥＤモジュールを構成することができる。
【００３８】
発光素子３１ａが白色光を放出するＳＭＤ型のＬＥＤ素子である場合、例えば、ＬＥＤチップとしては、通電されると青色光を発する青色ＬＥＤチップを用いて、封止部材としては、黄色蛍光体が含有されたシリコーン樹脂（蛍光体含有樹脂）を用いることができる。
【００３９】
なお、発光素子３１ａそのものがＬＥＤチップ（ベアチップ）であるＬＥＤ素子であってもよい。この場合、発光モジュール３１は、ＬＥＤチップ（発光素子３１ａ）が基板３１ｂに直接実装されたＣＯＢ（Ｃｈｉｐ  Ｏｎ  Ｂｏａｒｄ）構造となる。例えば、基板３１ｂとして平板状の実装基板を用いて１個又は複数個のＬＥＤチップ（発光素子３１ａ）を当該実装基板に実装することによって、発光モジュール３１としてＣＯＢ構造のＬＥＤモジュールを構成することができる。
【００４０】
また、白色光を放出するＣＯＢ構造のＬＥＤモジュールを用いる場合、例えば、ＬＥＤチップ（発光素子３１ａ）として青色ＬＥＤチップを用いて、この青色ＬＥＤチップを、黄色蛍光体が含有されたシリコーン樹脂からなる封止部材で封止すればよい。
【００４１】
筐体３２には一対の第１腕部３３ａ及び第２腕部３３ｂが設けられている。一対の第１腕部３３ａ及び第２腕部３３ｂは、給電ワイヤ２０との接続部であって、筐体３２の両側から外方に向かって延設されている。第１腕部３３ａ及び第２腕部３３ｂの各々には、下方に開口する溝部が設けられている。第１腕部３３ａ及び第２腕部３３ｂの溝部は、給電ワイヤ２０に対応するように形成されており、第１腕部３３ａの溝部には第１給電ワイヤ２１が配置され、第２腕部３３ｂの溝部には第２給電ワイヤ２２が配置される。光源部３０を給電ワイヤ２０に設置する際、第１給電ワイヤ２１には第１腕部３３ａ（溝部）が載置されるとともに第２給電ワイヤ２２には第２腕部３３ｂ（溝部）が載置される。
【００４２】
筐体３２の内部には発光モジュール３１が収納されている。また、筐体３２における発光素子３１ａと対向する部分には透光板３４が設けられている。これにより、発光モジュール３１（発光素子３１ａ）からの光は透光板３４を介して筐体３２の外部に向けて放射される。
【００４３】
また、筐体３２の内部には、一対の第１コネクタ３５ａ及び第２コネクタ３５ｂが設けられている。第１コネクタ３５ａ及び第２コネクタ３５ｂは、例えばリード線を介して基板３１ｂの電極端子と電気的に接続されている。なお、電極端子は、基板３１ｂに形成された配線パターンによって発光素子３１ａと電気的に接続されている。
【００４４】
さらに、第１コネクタ３５ａは、第１給電ワイヤ２１と電気的に接続されている。具体的には、第１コネクタ３５ａは、第１ネジ３６ａによって第１給電ワイヤ２１の金属線２１ａと電気的に接続されている。
【００４５】
同様に、第２コネクタ３５ｂは、第２給電ワイヤ２２と電気的に接続されている。具体的には、第２コネクタ３５ｂは、第２ネジ３６ｂによって第２給電ワイヤ２２の金属線２２ａと電気的に接続されている。
【００４６】
給電ワイヤ２０と光源部３０との電気的接続は、図５に示すような方法で行うことができる。図５は、実施の形態に係る照明装置１における給電ワイヤ２０（第１給電ワイヤ２１、第２給電ワイヤ２２）と光源部３０との接続方法を説明するための断面図である。
【００４７】
まず、図５（ａ）に示すように、本体部１０（不図示）から引き出した第１給電ワイヤ２１及び第２給電ワイヤ２２を所定の位置に固定して、光源部３０を第１給電ワイヤ２１及び第２給電ワイヤ２２の上から載せる。具体的には、図５（ｂ）に示すように、第１給電ワイヤ２１に第１腕部３３ａ（溝部）を載置するとともに第２給電ワイヤ２２に第２腕部３３ｂ（溝部）を載置する。
【００４８】
次に、図５（ｂ）に示すように、第１ネジ３６ａ及び第２ネジ３６ｂを用意して、第１ネジ３６ａ及び第２ネジ３６ｂによって第１給電ワイヤ２１及び第２給電ワイヤ２２と光源部３０との電気的接続を行う。
【００４９】
具体的には、第１ネジ３６ａを第１腕部３３ａの横孔（ネジ孔）からねじ込むんで、第１ネジ３６ａのネジ部（導電部）によって第１給電ワイヤ２１の絶縁被膜２１ｂ及び金属線２１ａを突き破って第１ネジ３６ａのネジ部をて第１コネクタ３５ａに接続する。
【００５０】
これにより、図５（ｃ）に示すように、第１コネクタ３５ａと第１給電ワイヤ２１の金属線２１ａとを第１ネジ３６ａのネジ部によって電気的に接続することができる。
【００５１】
同様に、第２ネジ３６ｂを第２腕部３３ｂの横孔（ネジ孔）からねじ込んで、第２ネジ３６ｂのネジ部（導電部）によって第２給電ワイヤ２２の絶縁被膜２２ｂ及び金属線２２ａを突き破って第２ネジ３６ｂのネジ部を第２コネクタ３５ｂに接続する。
【００５２】
これにより、第２コネクタ３５ｂと第２給電ワイヤ２２の金属線２２ａとを第２ネジ３６ｂのネジ部によって電気的に接続することができる。
【００５３】
給電ワイヤ２０（第１給電ワイヤ２１及び第２給電ワイヤ２２）と光源部３０とをこのように接続することによって、発光モジュール３１には、給電ワイヤ２０（第１給電ワイヤ２１、第２給電ワイヤ２２）を介して電源回路１２から所定の電力が供給される。これにより、発光モジュール３１が発光して、光源部３０から照明光が放射される。
【００５４】
なお、第１ネジ３６ａ及び第２ネジ３６ｂのネジ頭は外部に露出するため、ネジ頭は樹脂等の絶縁材料で構成するとよい。
【００５５】
ここで、図６を用いて、本実施の形態に係る照明装置１における光源部３０への給電方法を説明する。図６は、実施の形態に係る照明装置１の機能構成を説明するための図である。
【００５６】
図６に示すように、本実施の形態に係る照明装置１では、口金１１（不図示）で受電した交流電力は電源回路１２によって直流電力に変換され、当該直流電力は、給電ワイヤ２０（第１給電ワイヤ２１、第２給電ワイヤ２２）を介して各光源部３０に供給される。これにより、光源部３０の発光モジュール３１（発光素子３１ａ）が発光して、光源部３０から光が放出される。
【００５７】
なお、図６に示す構成の場合、光源部３０の設置数が予め決まっている（例えば２個）ときは、その設置数に応じて電源回路１２からの出力電力が予め調整されていて、光源部３０からは所定の光量の光が放出される。
【００５８】
しかし、光源部３０の設置数を、予め決まっている個数から変更すると、各光源部３０の光出力が変動する。例えば、光源部３０の設置数を増やしていくと、各光源部３０に供給される電力が小さくなっていくので各光源部３０の光出力が小さくなる。このため、各光源部３０では、光量が小さくなって照度が低下する。
【００５９】
そこで、光源部３０の設置数を任意に増減させた場合でも各光源部３０の光出力が変動しないようにするには、図７及び図８に示すような方法で光源部３０に給電を行うとよい。図７は、実施の形態の変形例に係る照明装置の機能構成を説明するための図であり、図８は、同照明装置における電源回路が出力する交流電力の周波数と発光素子（ＬＥＤ）に流れる電流比との関係を示す図である。
【００６０】
図７に示すように、本変形例に係る照明装置では、電源回路１２がＡＣ／ＤＣ回路（コンバータ）とＤＣ／ＡＣ回路（インバータ）とを備える。この場合、口金１１で受電した交流電力は電源回路１２によって一旦直流電力に変換された後で再び交流電力に変換される。ＤＣ／ＡＣ回路は、例えばハーフブリッジ形の自励インバータであって、周波数を変更することができる。
【００６１】
また、各光源部３０は、コンデンサＣ１と、平滑コンデンサＣ２と、整流回路ＤＢと、発光素子３１ａ（ＬＥＤ）とを備える。
【００６２】
コンデンサＣ１は、一方の電極がＤＣ／ＡＣ回路の出力端子に接続され、他方の電極が整流回路ＤＢの入力側に接続される。コンデンサＣ１は、ＤＣ／ＡＣ回路が出力する交流電力に対してリアクタンスとして作用する。コンデンサＣ１によって、ＤＣ／ＡＣ回路から出力される交流電力の周波数に応じて発光素子３１ａを流れる電流が変動する。
【００６３】
整流回路ＤＢは、例えば、４つのダイオードで構成されるブリッジ型全波整流回路である。整流回路ＤＢは、給電ワイヤ２０と光源部３０との間に接続されている。具体的には、整流回路ＤＢの入力側の２つの端子の一方は、コンデンサＣ１の他方の電極に接続され、整流回路ＤＢの入力側の２つの端子の他方は、ＤＣ／ＡＣ回路の出力端子に接続される。整流回路ＤＢは、コンデンサＣ１を介して得られる交流電力を全波整流する。全波整流により出力される電力は、コンデンサＣ２によって平滑化され、発光素子３１ａに供給される。そして、整流回路ＤＢが整流した電力により、発光素子３１ａが発光する。
【００６４】
このように構成された照明装置では、電源回路１２から出力される交流電力は、各光源部３０において、コンデンサＣ１を介して整流回路ＤＢに入力される。このため、各光源部３０の光量（明るさ）は、電源回路１２が出力する交流電力の周波数に応じて変更可能である。
【００６５】
図８は、電源回路１２から出力される交流電力（正弦波）を光源部３０の回路に入力した場合における正弦波の周波数と発光素子３１ａ（ＬＥＤ）に流れる電流（電流比）との関係を示す図である。
【００６６】
図８に示されるように、発光素子３１ａに流れる電流は、電源回路１２の出力の周波数に依存する。具体的には、発光素子３１ａに流れる電流は、電源回路１２の出力の周波数が増加するほど、発光素子３１ａに流れる電流は増える。
【００６７】
このような回路構成にすることによって、光源部３０（発光素子３１ａ）に流れる電流を主として電源回路１２の出力の周波数に依存させることができるので、光源部３０の光出力を電源回路１２の周波数で変更することができる。つまり、光源部３０の設置数にかかわらず、各光源部３０の光出力を一定にすることができる。
【００６８】
次に、照明装置１の設置方法について説明する。照明装置１を設置する場合、例えば、以下の方法で行うことができる。
【００６９】
まず、図２に示すように、本体部１０の口金１１を既存の照明器具１００のソケット１１０に取り付ける。これにより、電源回路１２が内蔵された本体部１０を照明器具１００に設置することができる。
【００７０】
次に、例えば固定部材４０を持って引くことで、必要な長さの給電ワイヤ２０を本体部１０（支柱１４）から引き延ばし、図２及び図３に示すように、固定部材４０を壁等に固定する。これにより、給電ワイヤ２０を所定の長さで任意の場所に設置することができる。
【００７１】
その後、必要な個数の光源部３０を給電ワイヤ２０に設置して、図５で説明した方法によって各光源部３０と給電ワイヤ２０との電気的接続を行う。これにより、スイッチ等によって電源ＯＮにすることで、電源回路１２から出力する電力が給電ワイヤ２０を介して光源部３０に供給されて光源部３０が発光する。
【００７２】
以上説明したように、本実施の形態に係る照明装置１は、既に設置された照明器具１００のソケット１１０（照明用電力供給部）に取り付けられる口金１１及び電源回路１２を有する本体部１０と、本体部１０から任意の場所に引き出すことができる給電ワイヤ２０と、給電ワイヤ２０を介して供給される所定の電力によって発光し、かつ、給電ワイヤ２０に設置される光源部３０とを備える。
【００７３】
このように、口金１１を用いて電源回路１２を有する本体部１０を照明器具１００のソケット１１０に取り付けることができるので、既に設置された照明器具１００を利用することができる。また、照明器具１００に設置された本体部１０からは給電ワイヤ２０を任意の場所に引き出すことができるので、光源部３０を給電ワイヤ２０の任意の位置に設置することで光源部３０を任意の場所に配置することができる。
【００７４】
これにより、既に設置された照明器具１００を用いて任意の場所に照明光を照射することができるので、既に設置された照明器具を用いて任意の場所に照明光を照射することができる。
【００７５】
さらに、本実施の形態における照明装置１によれば、１個の電源回路１２に対して、１個又は複数の光源部３０を任意の場所に可動させることができる。これにより、照射エリアを自由に変更することができる。
【００７６】
さらに、本実施の形態における照明装置１によれば、電源回路１２と光源部３０とは別置である。これにより、電源回路１２で発生する熱によって光源部３０が影響を受けることを抑制できる。逆に、光源部３０で発生する熱によって電源回路１２が影響を受けることを抑制できる。このことから、光源部３０の設置数を容易に増やすことができるので、明るさを向上させることができる。
【００７７】
さらに、本実施の形態における照明装置１によれば、光源部３０と本体部１０とが別体となっている。これにより、光源部３０を容易に小さくして軽量化を図ることができる。このことから、光源部３０の可動も容易になる。
【００７８】
また、本実施の形態において、光源部３０は給電ワイヤ２０に設置されている。具体的には、一対の第１給電ワイヤ２１と第２給電ワイヤ２２を用いている。これにより、照明器具１００に設置される本体部１０から給電ワイヤ２０を任意の場所に容易に引き出すことができる。また、給電ワイヤ２０を用いることで、光源部３０の設置が容易になる。
【００７９】
また、本実施の形態において、一対の給電ワイヤ２０には固定部材４０が設けられている。これにより、給電ワイヤ２０を容易に所定の構造物に固定することができる。
【００８０】
また、本実施の形態において、本体部１０には、給電ワイヤ２０の引き出し量を調整することができる引き出し量調整部が設けられている。これにより、給電ワイヤ２０の引き出し量を調整することによって給電ワイヤ２０の長さを容易に変更することができる。
【００８１】
また、本実施の形態において、本体部１０には、電源回路１２を収納する回路ケース１３が設けられている。これにより、電源回路１２の絶縁性を容易に確保することができる。
【００８２】
また、本実施の形態において、本体部１０には、回路ケース１３から延設された支柱１４が設けられおり、給電ワイヤ２０は支柱１４から引き出されている。これにより、ダウンライト等の天井埋め込み型の照明器具であっても、天井面から給電ワイヤ２０を容易に引き出すことができる。
【００８３】
（その他変形例等）
以上、本発明に係る照明装置について、実施の形態に基づいて説明したが、本発明は、上記の実施の形態に限定されるものではない。
【００８４】
例えば、上記の実施の形態において、給電ワイヤ２０の他方端には固定部材４０を設けたが、これに限らない。この場合、図９に示される照明装置２のように、図１に示される照明装置１において、固定部材４０に代えて、口金１１、ケース１３Ａ及び支柱１４を有する本体部１０Ａを設けた構成とすることができる。これにより、２つの照明器具を用いて照明装置２を設置することができる。つまり、２つの照明器具の間に給電ワイヤ２０を架張することができる。本変形例において、ケース１３Ａは、例えば、回路ケース１３と同様の構成とすることができる。なお、ケース１３Ａ内には、電源回路は設けなくてもよい。
【００８５】
また、上記の実施の形態において、照明器具として天井埋め込み型のダウンライトを例示し、照明装置１の受電部として口金１１を例示したが、これに限らない。例えば、図１０に示すような構成の受電部１１Ａを有する本体部１０を備える照明装置３であってもよい。受電部１１Ａは、天井に設けられた引掛シーリングボディ２００の照明用電力供給部（不図示）に取り付けられる構造を有する。受電部１１Ａとしては、例えば、引掛シーリングボディ２００にシーリングライトを取り付けるためのアダプタと同様の構造を採用することができる。なお、照明器具としては、ペンダント形の照明器具（ペンダントライト）等、その他の照明器具を用いてもよい。
【００８６】
また、上記の実施の形態において、本体部１０からは一対の給電ワイヤ２０のみが引き出されるように構成したが、これに限らない。例えば、一対の給電ワイヤ２０を本体部１０から複数対引き出されるように構成してもよい。この場合、複数の一対の給電ワイヤ２０は、例えば放射状に引き出することができる。
【００８７】
また、上記の実施の形態では、給電ワイヤ２０は、天井面又は床面に対して略平行となるように引き出したが、これに限るものではない。例えば、給電ワイヤ２０を斜め下方に引き出してもよいし、給電ワイヤ２０の先端におもり等を付けて給電ワイヤ２０を鉛直下方に垂らすように引き出してもよい。
【００８８】
また、上記の実施の形態では、本体部１０から光源部３０への給電部（給電手段）として給電ワイヤ２０を用いたが、これに限らない。例えば、本体部１０から光源部３０への給電部として、伸縮パイプ等を用いてもよい。
【００８９】
また、上記の実施の形態では、給電ワイヤ２０として、分離された第１給電ワイヤ２１及び第２給電ワイヤ２２を用いたが、給電ワイヤ２０は、見た目上、１本であってもよい。つまり、第１給電ワイヤ２１及び第２給電ワイヤ２２を束ねた１本の給電ワイヤであってもよい。この場合、光源部３０は１本の給電ワイヤに設置できる構造にすればよい。
【００９０】
また、上記の実施の形態では、青色ＬＥＤチップと黄色蛍光体とによって白色光を放出するＢ−ＹタイプのＬＥＤモジュールを構成したが、これに限らない。例えば、赤色蛍光体及び緑色蛍光体を含有する蛍光体含有樹脂を用いて、これと青色ＬＥＤチップと組み合わせることによりに白色光を放出するように構成してもよい。
【００９１】
また、上記の実施の形態では、発光モジュールの光源としては、ＬＥＤチップを用いたが、これに限らない。例えば、発光モジュールの光源としては、半導体レーザなどの半導体発光素子、有機ＥＬ（Ｅｌｅｃｔｒｏ  Ｌｕｍｉｎｅｓｃｅｎｃｅ）又は無機ＥＬ等の発光素子、その他の固体発光素子を用いてもよい。
【００９２】
その他、上記実施の形態及び変形例に対して当業者が思いつく各種変形を施して得られる形態、又は、本発明の趣旨を逸脱しない範囲で上記実施の形態及び変形例における構成要素及び機能を任意に組み合わせることで実現される形態も本発明に含まれる。
【符号の説明】
【００９３】
１  照明装置
１０  本体部
１１  口金（受電部）
１２  電源回路
１３  回路ケース
１４  支柱
２０  給電ワイヤ（給電部）
３０  光源部
３１ａ  発光素子（ＬＥＤ素子）
３１ｂ  基板
１００  照明器具
１１０  ソケット
【図１】
2016054114.tif 000003
【図２】
2016054114.tif 000004
【図３】
2016054114.tif 000005
【図４】
2016054114.tif 000006
【図５】
2016054114.tif 000007
【図６】
2016054114.tif 000008
【図７】
2016054114.tif 000009
【図８】
2016054114.tif 000010
【図９】
2016054114.tif 000011
【図１０】
2016054114.tif 000012